(57)【要約】      （修正有）【課題】ディスク記録及び／又は再生装置に係る防振装置において、支持部の数が少なく組立時の作業性の良い且つ、振動入力の一部の振幅に対して効果的で微小振幅に対する減衰効率の良い構造を実現する。【解決手段】光ディスクに対して情報信号の記録再生を行う光学ピックアップ装置が搭載されたシャーシ３７を有するディスクドライブ装置と、そのディスクドライブ装置を外装ケースに対して弾性支持する防振装置５３と、を備えたディスク記録及び／又は再生装置に関する。防振装置５３は、シャーシ３７に取り付けられる円筒状をなすゴム状弾性体８０と、そのゴム状弾性体８０と外装ケースとの間に圧縮した状態で介在される一対の円錐コイルばね８４，８５と、を有し、ゴム状弾性体８０の、円錐コイルばねの巻軸方向の先端部に、先端側の肉厚を徐々に薄くすることによって減衰できる周波数を低下させた初期防振部８４ａ，８５ａを設けた。【選択図】      図９
2006185501.tif 000002
【特許請求の範囲】
【請求項１】
ディスク状記録媒体に対して情報信号の記録及び／又は再生を行うピックアップ手段が搭載されたシャーシを有するディスクドライブ装置と、
前記ディスクドライブ装置を装置本体に対して弾性支持する防振装置と、
を備えたディスク記録及び／又は再生装置において、
前記防振装置は、前記ディスクドライブ装置及び前記装置本体の一方に取り付けられる円筒状をなすゴム状弾性体と、前記ゴム状弾性体と前記ディスクドライブ装置及び前記装置本体の他方との間に圧縮した状態で介在される円錐形ばねと、を有し、
前記ゴム状弾性体の、前記円錐形ばねの巻軸方向の先端部に、先端側の肉厚を徐々に薄くすることによって減衰できる周波数を低下させた初期防振部を設けたことを特徴とするディスク記録及び／又は再生装置。
【請求項２】
前記ゴム状弾性体は、前記ディスクドライブ装置及び前記装置本体の一方の両面に突出する一対の円筒状防振部を有し、当該一対の円筒状防振部の内側に前記一対の円錐形ばねの大径側端部をそれぞれ着座させ、当該一対の円錐形ばねの小径側端部を、前記ディスクドライブ装置及び前記装置本体の他方に設けた支持軸部でそれぞれ支持するようにしたことを特徴とする請求項１記載のディスク記録及び／又は再生装置。
【請求項３】
前記ゴム状弾性体は、前記巻軸方向の中途部において当該巻軸方向と交差する方向の内側に突出するフランジ状防振部を有し、前記フランジ状防振部の内周縁に、先端側の肉厚を徐々に薄くすることによって減衰できる周波数を低下させた初期防振部を設けたことを特徴とする請求項２記載のディスク記録及び／又は再生装置。
【請求項４】
前記支持軸部は、前記ゴム状弾性体の穴に挿通される軸部と、当該軸部の先端に固定される支持蓋を有し、
前記ディスクドライブ装置及び前記装置本体の他方と前記支持蓋との間の間隔を前記ゴム状弾性体における前記巻線方向の長さよりも長くして当該ゴム状弾性体の巻線方向の両側に、前記一対の円錐形ばねのばね力のみを作用させるための隙間をそれぞれ設けたことを特徴とする請求項２記載のディスク記録及び／又は再生装置。
【発明の詳細な説明】
【技術分野】
【０００１】
本発明は、ピックアップ手段によりディスク状記録媒体に対して情報信号の記録及び／又は再生を行うようにしたディスク記録及び／又は再生装置に関し、特に、ピックアップ手段が搭載されたディスクドライブ装置を装置本体に対して弾性的に支持する防振装置に関するものである。
【背景技術】
【０００２】
従来の、この種のディスク記録及び／又は再生装置の防振装置としては、例えば、特許文献１に記載されているようなものがある。特許文献１には、ポータブルの光学ディスクプレーヤ等に用いて好適な防振機構に関するものが記載されている。この特許文献１に記載された防振機構は、「メカデッキの一側及びこの一側に対向する他側を夫々圧縮コイルばね及びダンパを介してフレームに支持するようにすると共に上記一側及び他側の圧縮コイルばねの取付荷重を等しくするようにした」ことを特徴としている。
【０００３】
このような構成を有する防振機構によれば、「メカデッキの一側及びこの一側に対向する他側を夫々圧縮コイルばねを介してフレームに支持するようにしたので、比較的簡単な構成で全使用方向及び全振動方向に対して同等の防振効果を得ることができる」等の効果が期待される。
【０００４】
また、従来のディスク記録及び／又は再生装置に係る防振装置の他の例としては、例えば、特許文献２に記載されているようなものもある。特許文献２には、コンパクトディスク等から情報を読み取る情報読取手段が設置台に固定され、該設置台が防振支持部を介して基台に載置された情報再生装置に関するものが記載されている。この特許文献２に記載された情報再生装置は、「コンパクトディスク（ＣＤ）等から情報を読み取る情報読取手段が設置台に固定され、該設置台が防振支持部を介して基台に載置された情報再生装置において、前記防振支持部が前記設置台に係合して支持する蓋部及び底部を有する弾性筒状部材及び前記設置台を支持するばね部材を含んで構成されている」ことを特徴としている。
【０００５】
このような構成を有する情報再生装置によれば、「前後、左右、上下のいずれの方向に対しても防振効果が高くなる。従って、振動緩和作用が高くなり、正確な情報再生が可能となる」という効果が期待される。
【０００６】
しかしながら、特許文献１に記載された防振機構においては、減衰効果を得られる方向が上下方向だけであり、その方向と交差する方向の振動に対しては減衰効果を得ることができず、また、構造が比較的複雑であって、サイズも大きく、コスト的に高価なものであった。この特許文献１に記載された防振機構の支持部を拡大した図を、本出願の図１３として示す。図１３に示すように、支持部１００は、メカデッキが搭載されるシャーシ１０１と外筐を構成するサブシャーシ１０２との間に介在されてメカデッキを弾性的に支持するもので、ダンパ機構１０３と圧縮コイルばね１０４とから構成されている。
【０００７】
ダンパ機構１０３は、シャーシ１０１に固定されるロッド１０５と、シリコンオイルからなる粘性流体１０６が封入されたゴム製のダンパ本体１０７とからなっている。ダンパ本体１０７は、固定台座１０８を介してサブシャーシ１０２に固定されており、このダンパ本体１０７の中央部に設けられた係合凹部１０９にロッド１０５の先端部が圧入により嵌合されている。固定台座１０８は、一対の鉤形状の固定脚部１１１ａ，１１１ｂをサブシャーシ１０２の一対の溝部１１２ａ，１１２ｂに係合することによって固定されている。更に、固定台座１０８には、ダンパ本体１０７の周囲を囲むように壁部１１３が形成されている。
【０００８】
固定台座１０８の壁部１１３は、ダンパ本体１０７の周壁部１０７ａの略全面を覆うと共に、ロッド１０５の先端部と十分に対向し得る高さに設定されている。この壁部１１３によってダンパ本体１０７の横方向Ｘの振動に対する座屈が防止される。圧縮コイルばね１０４は、ロッド１０５を芯とするようにシャーシ１０１とサブシャーシ１０２との間に圧縮状態で介挿されている。この圧縮コイルばね１０４のばね力により、サブシャーシ１０２からシャーシ１０１に伝わる振動が減衰される。また、ダンパ機構１０３に横方向（せん断方向）Ｘの振動が加わった場合には、ロッド１０５の移動に対してダンパ本体１０７内の粘性流体１０６が流動することによって所定のダンパ効果が得られる。
【０００９】
しかしながら、特許文献１に開示された防振機構においては、振動を削減するものは減衰率の高いゴムであったり、そのゴム内に充填された粘性の高い液体であり、また、位置決めは金属製の圧縮コイルばねによって行われていた。そのため、部品点数や製造工程が多いためにコスト高になっているばかりでなく、サイズが大きくなっていた。更に、振動に対して減衰効果を得られる方向がロッドの軸方向のみであったため、その軸方向と交差する方向から入力される振動に対応するためには、その交差する方向にロッドを向けた別の支持部１００を設ける必要がある。そのため、必要とされる支持部の数が多くなるばかりでなく、組立時の作業性も悪いという問題点があった。
【００１０】
また、従来の特許文献２に開示された情報再生装置の防振支持部においては、ばね部材が伸張する上下方向の振動のうち、比較的大きな振幅の振動に対してはばね部材と弾性筒状部材とが共に働いて振動を緩和することができるが、微小振幅の振動に対してはばね部材のみが働いて、弾性筒状部材は非作動の状態となる。そのため、振動入力の一部の振幅に対しては効果的な減衰作用を行うことができず、微小振幅に対する減衰効率が悪いという問題点があった。
【特許文献１】特開平６−１１９７７０号公報
【特許文献２】特開平４−３３９３８９号公報
【発明の開示】
【発明が解決しようとする課題】
【００１１】
解決しようとする問題点は、従来のディスク記録及び／又は再生装置に係る防振装置においては、必要とされる支持部の数が多くなり、組立時の作業性も悪いという問題点があり、また、振動入力の一部の振幅に対して効果的な減衰作用を行うことができず、微小振幅に対する減衰効率が悪いというという点である。
【課題を解決するための手段】
【００１２】
本出願のディスク記録及び／又は再生装置は、ディスク状記録媒体に対して情報信号の記録及び／又は再生を行うピックアップ手段が搭載されたシャーシを有するディスクドライブ装置と、そのディスクドライブ装置を装置本体に対して弾性支持する防振装置と、を備えたディスク記録及び／又は再生装置において、防振装置は、ディスクドライブ装置及び装置本体の一方に取り付けられる円筒状をなすゴム状弾性体と、そのゴム状弾性体とディスクドライブ装置及び装置本体の他方との間に圧縮した状態で介在される円錐形ばねと、を有し、ゴム状弾性体の、円錐形ばねの巻軸方向の先端部に、先端側の肉厚を徐々に薄くすることによって減衰できる周波数を低下させた初期防振部を設けたことを最も主要な特徴とする。
【００１３】
本出願のディスク記録及び／又は再生装置は、ゴム状弾性体は、ディスクドライブ装置及び装置本体の一方の両面に突出する一対の円筒状防振部を有し、その一対の円筒状防振部の内側に一対の円錐形ばねの大径側端部をそれぞれ着座させ、一対の円錐形ばねの小径側端部を、ディスクドライブ装置及び装置本体の他方に設けた支持軸部でそれぞれ支持するようにしたことを特徴とする。
【００１４】
本出願のディスク記録及び／又は再生装置は、ゴム状弾性体は、巻軸方向の中途部においてその巻軸方向と交差する方向の内側に突出するフランジ状防振部を有し、そのフランジ状防振部の内周縁に、先端側の肉厚を徐々に薄くすることによって減衰できる周波数を低下させた初期防振部を設けたことを特徴とする。
【００１５】
また、本出願のディスク記録及び／又は再生装置は、支持軸部は、ゴム状弾性体の穴に挿通される軸部と、その軸部の先端に固定される支持蓋を有し、ディスクドライブ装置及び装置本体の他方と支持蓋との間の間隔をゴム状弾性体の巻線方向の長さよりも長くしてゴム状弾性体における巻線方向の両側に、一対の円錐形ばねのばね力のみを作用させるための隙間をそれぞれ設けたことを特徴とする。
【発明の効果】
【００１６】
本出願のディスク記録及び／又は再生装置によれば、ディスクドライブ装置又は装置本体から防振装置に振動や衝撃力が入力されると、ディスクドライブ装置と装置本体とが、円錐形ばねのばね力に抗して相対的に変動すると共に、ディスクドライブ装置及び装置本体の一方に取り付けられているゴム状弾性体がディスクドライブ装置及び装置本体の他方に当接される。このとき、振動等の入力のうち、周波数の低い部分は主に円錐形ばねのばね力によって減衰され、周波数の高い部分は主にゴム状弾性体の弾性によって減衰される。
【００１７】
特に、ゴム状弾性体における円錐形ばねの巻線方向の先端部に、先端側の肉厚を徐々に薄くすることによって減衰できる周波数を低下させた初期防振部を設ける構成としたため、ゴム状弾性体で減衰できる周波数を低い方にも広げることができ、その結果、広い範囲の周波数を有する振動や衝撃力を効果的に減衰させることができる。しかも、防振装置のアッセンブリー化を図ることができ、組立作業を簡単且つスムースに行うことができるディスク記録及び／又は再生装置を提供することができる。
【００１８】
本出願のディスク記録及び／又は再生装置によれば、ゴム状弾性体が、ディスクドライブ装置及び装置本体の一方の両面に突出する一対の円筒状防振部を有し、その一対の円筒状防振部の内側に円錐形ばねをそれぞれ装着してディスクドライブ装置及び装置本体の他方を弾性支持する構成としたため、ゴム状弾性体と円錐形ばねとの組み合わせからなる防振装置の小型化を図ることができると共に、装置全体の小型化に貢献することができる。
【００１９】
本出願のディスク記録及び／又は再生装置によれば、ゴム状弾性体にフランジ状防振部を設け、そのフランジ状防振部の内周縁に初期防振部を設ける構成としたため、円錐形ばねの巻線方向と直交する方向から入力される振動や衝撃力に対してフランジ状防振部が作用し、その方向の振動や衝撃力を減衰させることができる。特に、フランジ状防振部の内周縁に初期防振部を設けているため、ゴム状弾性体で減衰できる周波数を低い方にも広げることができ、広い範囲の周波数を有する振動や衝撃力を効果的に減衰させることができる。
【００２０】
また、本出願のディスク記録及び／又は再生装置によれば、支持軸部が軸部と支持蓋とを有し、その支持蓋とディスクドライブ装置又は装置本体との間の間隔をゴム状弾性体における巻線方向の長さよりも長くしてゴム状弾性体の巻線方向の両側に隙間を設ける構成としたため、入力される振動等のうち、低い周波数は主に円錐形ばねで減衰し、高い周波数は主にゴム状弾性体で減衰すると共に、その中間の周波数はゴム状弾性体の初期防振部で減衰することができ、広い範囲の周波数を有する振動や衝撃力を効果的に減衰させることができる。
【発明を実施するための最良の形態】
【００２１】
ゴム状弾性体の先端部に、先端側の肉厚を徐々に薄くすることによって減衰できる周波数を低下させた初期防振部を設けることにより、ゴム状弾性体で減衰できる周波数を低い方にも広げて、広い範囲の周波数を有する振動や衝撃力を効果的に減衰できるディスク記録及び／又は再生装置を、簡単な構造によって実現した。
【実施例１】
【００２２】
図１〜図１２は、本発明の実施の形態の例を示すものである。即ち、図１〜図３は本発明のディスク記録及び／又は再生装置を備えた電子機器の一実施例を示すもので、図１はディスク式撮像装置を正面側から見た斜視図、図２は同じく背面側から見た斜視図、図３は同じくディスク蓋を開いた斜視図である。図４〜図６は本発明のディスク記録及び／又は再生装置に用いたディスクドライブ装置の一実施例を示すもので、図４は正面図、図５は背面図、図６は背面側から見た斜視図である。図７〜図９は本発明のディスク記録及び／又は再生装置に係る防振装置の一実施例を示すもので、図７は斜視図、図８は一部を断面した分解斜視図、図９は断面図である。また、図１０及び図１１は本発明に係る防振装置のゴム状弾性体の他の実施例を示す断面図、図１２はゴム状弾性体と円錐コイルばねの周波数特性を示すグラフである。
【００２３】
図１〜図３に示す電子機器１は、情報記憶メディアであるディスク状記録媒体の一具体例として示す直径８ｃｍのＤＶＤ−Ｒ（Digital Video Disc−Recordable）を使用し、光学的な画像をＣＣＤ（固体撮像素子）で電気的な信号に変換してＤＶＤ−Ｒに記録したり、液晶モニタ等の表示装置に表示できるようにしたもの（以下「ディスク式撮像装置」という。）である。しかしながら、本発明のディスク状記録媒体としては、この実施例で示すＤＶＤ−Ｒに限定されるものではなく、ＤＶＤ−ＲＷ、ＤＶＤ−ＲＡＭその他の記録可能な光学ディスクを用いることができることは勿論のこと、例えば光磁気ディスク、磁気ディスク等のように他の記録方式のディスク状記録媒体を適用することができることは勿論である。
【００２４】
図１等に示すように、ディスク式撮像装置１は、着脱自在に装着されるＤＶＤ−Ｒ２（図４を参照）を回転駆動して情報信号の記録（書き込み）及び再生（読み出し）を行うディスクドライブ装置３（図４〜図６に示す。）と、このディスクドライブ装置３の駆動制御等を行う図示しない制御回路と、被写体の像を光として取り込んでＣＣＤに導くレンズ装置４と、これらディスクドライブ装置３等が収納される外装ケース５と、この外装ケース５に回動自在に取り付けられてディスク収納部６を開閉可能に覆うことができるディスク蓋７等を備えて構成されている。
【００２５】
外装ケース５は、三重に重ね合わせるように組み合わされるディスク側パネル８、中央部パネル９及び表示装置側パネル１０と、レンズ装置４の光軸方向の前後に配置されてこれらのパネル８〜１０と組み合わされるフロントパネル１１及びリアパネル１２と、中央部パネル９の内側に配置される図に表れない仕切りパネルとからなり、これらのパネル８〜１２によって中空の筐体が構成されている。そして、仕切りパネルのディスク側パネル８側の面に、ディスクドライブ装置３が防止装置５３を介して弾性的に支持されている。これらのパネル８〜１２は、互いに重ね合わされた適当な部分において、或いは他の部材を介して固定ネジからなる固着手段によって組立・分解可能に構成されている。
【００２６】
レンズ装置４は、外装ケース５の上部に内蔵された状態で固定されており、その撮像レンズ１５がフロントパネル１１の上部を前方に貫通して前面に露出されている。図示しないが、外装ケース５の内部において、レンズ装置４の後方にＣＣＤ（固体撮像素子）が配置されており、そのＣＣＤの後方にビューファインダ１６が配置されている。
【００２７】
ビューファインダ１６は外装ケース５の上部に露出されていて、ファインダ移動機構によってレンズ装置４の光軸方向へ所定距離だけ進退移動可能に構成されている。このビューファインダ１６は、前側を回動中心として後側が上下方向へ回動可能に構成されている。これによりビューファインダ１６は、レンズ装置４の光軸と平行をなす水平状態から、後部を上方へ持ち上げた上向き状態まで所定角度範囲（本実施例では約９０度）内で任意角度に角度調節可能とされている。このビューファインダ１６の角度調整は、ファインダ移動機構の前端部から後端部までの如何なる位置においても行うことができるようになっている。
【００２８】
更に、外装ケース５の上部には、ビデオライトや外付けマイクロホン等のアクセサリーが着脱自在に装着されるアクセサリーシュー１７が取り付けられている。アクセサリーシュー１７はビューファインダ１６の直前に配置されており、ビューファインダ１６を後方へ移動させたときに、アクセサリーシュー１７への挿入口が開口されるようになされている。この挿入口を開口させた状態においてアクセサリーの装着が可能であり、アクセサリーの装着後、ビューファインダ１６を前方へ移動させると、その挿入口が閉口されてアクセサリーの取り外しが不能となる。このアクセサリーシュー１７には、通常、不使用時に空間部分を埋める蓋体をなすシューキャップ１８が装着される。
【００２９】
また、フロントパネル１１の前面には、上から順にリモコン受光部２０とマイク端子とステレオ方式の内蔵マイクロホン２２が配置されている。リモコン受光部２０は、リモコン操作のための受信部である。このリモコン受光部２０は、焦点を自動的に調整する等のために用いられる赤外線を発光する赤外線発光部も兼ねている。また、マイク端子は映像端子と音声端子とからなり、これらの端子は端子カバー２１によって開閉可能に覆われている。
【００３０】
図２に示すように、外装ケース５のリアパネル１２には、電源バッテリー２４が着脱自在に装着されるバッテリー収納部２５が設けられている。バッテリー収納部２５は、リアパネル１２の背面及び下面に開口されており、電源バッテリー２４は後方斜め下方から差し込み、また同方向へ取り出し可能とされている。更に、リアパネル１２には、吊り下げ用ストラップのための２個の支持金具２６ａ，２６ｂが取り付けられている。２個の支持金具２６ａ，２６ｂのうち、一方の支持金具２６ａは外装ケース５の左サイドの下部に取り付けられ、他方の支持金具２６ｂは外装ケース５の右サイドの上部に取り付けられている。
【００３１】
図１に示すように、外装ケース５の表示装置側パネル１０には、表示装置２８が姿勢変更可能に取り付けられている。表示装置２８は、図示しない平板状の液晶モニタと、この液晶モニタが収納されたパネルケースと、このパネルケースを外装ケース５に対して姿勢変更可能に支持するパネル支持部とから構成されている。パネル支持部は、垂直軸を回動中心としてパネルケースを水平方向に略９０度回動可能とした水平回動機能と、水平軸を回動中心としてパネルケースを前後方向に略１８０度回動可能とした前後回動機能とを有している。
【００３２】
これにより、表示装置２８は、図１に示すように外装ケース５の側面に収納した収納状態と、パネルケースを９０度回動させて液晶モニタを後方へ対向させた状態と、パネルケースを１８０度回動させて液晶モニタを前方へ対向させた状態と、それらの中間位置の状態とを任意に取ることができるようになっている。更に、表示装置側パネル１０の上部には、複数の操作ボタンからなる操作部２９が設けられている。
【００３３】
図３に示すように、外装ケース５の側面には、ディスク状記録媒体が着脱可能に装着されるディスク収納部６が設けられている。ディスク収納部６は、ディスクドライブ装置３の一部を露出させるための開口部を有する一定領域からなり、この実施例では、ディスク状記録媒体の一具体例として示す直径８ｃｍのＤＶＤ−Ｒ２に対応する大きさの領域として形成されている。このディスク収納部６の略中央部にはディスクドライブ装置３のテーブル回転手段３５が配置され、その略中央部に設けられたターンテーブル３６に対して、ＤＶＤ−Ｒ２が装着固定可能とされている。
【００３４】
ディスクドライブ装置３は、シャーシ３７を介して外装ケース５に固定されている。このディスクドライブ装置３が配置されたディスク収納部６は、ディスク側パネル８に側面部を回動自在に支持されたディスク蓋７によって開閉可能に覆われている。ディスク蓋７は、ディスク収納部６の形状に見合う形状とされていて、背面側に取り付けられた蓋回動軸部３８によって外装ケース５に固定されている。ディスク蓋７は、ディスク収納部６を覆う平面部７ａと、この平面部７ａの外周縁の略全周に亘って連続された周面部７ｂとを有している。このディスク蓋７の周面部７ｂは、ディスク側パネル８のディスク収納部６の外周側切欠き部と嵌り合うように構成されている。
【００３５】
蓋回動軸部３８は、図示しないが、ディスク蓋７の背面側に設けた方形部７ｃを貫通する支持軸と、この支持軸の両端を固定的に支持する一対の軸受片を有する軸受部材とからなり、軸受部材をディスク側パネル８に固定することによってディスク蓋７が回動自在に支持されている。この蓋回動軸部３８には、ディスク蓋７の最大開き角度（例えば、９０度）を設定するストッパ部が設けられている。
【００３６】
このような蓋回動軸部３８が、その支持軸の軸方向を上下方向に設定してディスク側パネル８に取り付けられている。これにより、ディスク蓋７が蓋回動軸部３８を介してディスク側パネル８の後部に回動可能に支持されている。その結果、ディスク蓋７は、ディスク式撮像装置１の正面を前側として前開きによって側方へ略９０度開放動作させることができる。なお、蓋回動軸部３８には、一定の開放角度の範囲内においてディスク蓋７を任意の開放位置で静止させることができると共に、その開放角度を超えたときにはディスク蓋７を開放側へ付勢するようにバネ部材が装着されている。
【００３７】
ディスク側パネル８と中央部パネル９との間には、図示しないが、ディスク蓋７の蓋開閉機構が設けられている。この蓋開閉機構は、ディスク収納部６を閉じた状態のディスク蓋７を、その閉じ状態においてロックする機能と、そのロックを解除する機能とを有するものである。この蓋開閉機構に対応させて、ディスク蓋７の内面にはロック部材３９が取り付けられている。
【００３８】
また、図２に示すように、ディスク側パネル８には、ディスク蓋７を囲うようにハンドベルト４０が取り付けられている。ハンドベルト４０は、外装ケース５の把持部５ａを握るユーザーの手を支え、ディスク式撮像装置１の取り落とし等を防止するものである。このハンドベルト４０は、両端がディスク側パネル８に固定されたベルト部材４１と、このベルト部材４１に装着されてユーザーの手の甲部分に当接される保護パッド４２とから構成されている。ベルト部材４１の一端はディスク側パネル８の前側下部に固定された取付金具４３に連結され、他端はディスク側パネル８の後側中途部に設けた貫通穴から内側に挿入されて、その内部に取り付けられた取付金具に固定されている。
【００３９】
図２に示すように、ディスク側パネル８の後部には、電源ボタン４４とモード切換ダイヤル４５と録画ボタン４６が配置されている。モード切換ダイヤル４５はリング状をなしており、その穴内に電源ボタン４４が収納されている。電源ボタン４４はプッシュ・プッシュ方式のスイッチ手段からなり、その押圧動作によって電源バッテリー２４からの電力供給がオン・オフされる。モード切換ダイヤル４５は録画等の動作モードを選択するためのもので、その回動操作によって「静止画モード」と「動画モード」と「見る・編集モード」との３態様の中から任意のモードを選択することができる。また、録画ボタン４６はプッシュ・プッシュ方式のスイッチ手段からなり、その押圧動作によって動画撮影のスタートとストップが繰り返される。
【００４０】
更に、ディスク側パネル８の後側上部には、シャッタボタン４７とズームレバー４８が配置されている。シャッタボタン４７は静止画を撮影するためのもので、その押圧操作により、１回の押圧操作毎に１つの静止画が撮影される。また、ズームレバー４８は撮影時や再生時等において画像を拡大したり縮小したりするためのもので、その操作量に応じて一定の範囲内で倍率を無段階に調整することができる。
【００４１】
前記外装ケース５を構成するディスク側パネル８、中央部パネル９、表示装置側パネル１０、フロントパネル１１及びリアパネル１２の材料としては、例えば、ＡＢＳ（アクリロニトリル・ブタジエン・スチレン樹脂）が好適である。しかしながら、ＡＢＳに限定されるものではなく、その他のエンジニアリングプラスチックを適用できることは勿論のこと、合成樹脂以外のアルミニウム合金等の金属を用いることもできる。
【００４２】
外装ケース５の内部は仕切りパネルによって左右方向（レンズ装置４の光軸と交差する方向）に仕切られており、これにより、ディスク蓋７側の第１の室と表示装置側の第２の室とに分けられている。仕切りパネルは板状の部材からなり、固定ネジによって外装ケース５の内部に締付固定されている。仕切りパネルの材料としては、例えば、ステンレス鋼（ＳＵＳ）が好適であるが、スチール鋼、アルミニウム合金その他の金属を適用できることは勿論のこと、金属以外のエンジニアリングプラスチックを用いることもできる。
【００４３】
ディスクドライブ装置３は、図４〜図６に示すように、仕切りパネル等のケース側の部材を介して外装ケース５に取り付けられるシャーシ３７と、このシャーシ３７に固定されるテーブル回転手段３５と、ピックアップ装置の一具体例を示す光学ピックアップ装置５０と、この光学ピックアップ装置５０をテーブル回転手段３５に対して接近又は離反させるようにＤＶＤ−Ｒ２の半径方向に所定範囲内で往復移動させるピックアップ移動手段５１等を備えて構成されている。
【００４４】
シャーシ３７は、略Ｄ字形に形成された上面部３７ａと、この上面部３７ａの周縁に連続する側面部３７ｂと、ケース側部材に取り付けるために側面部３７ｂの周縁の４箇所に設けたインシュレータ取付部３７ｃとを有し、電気を良く通す金属材料によって一体に形成されている。各インシュレータ取付部３７ｃには連通孔５２が設けられており、その連通孔５２には防振装置５３がそれぞれ装着されている。
【００４５】
この実施例で示す防振装置５３は、図７〜図９に示すような構成からなっている。即ち、防振装置５３は、シャーシ３７に固定されたゴム状弾性体８０と、このゴム状弾性体８０と外装ケース５（本実施例では外装ケース５の仕切りパネル）との間に圧縮した状態で介在された円錐形ばねの一具体例を示す一対の円錐コイルばね９１，９２と、この一対の円錐コイルばね９１，９２を支持する支持軸部８２と、から構成されている。
【００４６】
ゴム状弾性体８０は、ゴムや合成樹脂等の弾性体を円筒状に形成することによって構成されている。ゴム状弾性体８０の外周面の軸方向の略中間部には、周方向に連続する嵌合溝８３が設けられている。この嵌合溝８３をインシュレータ取付部３７ｃの連通孔５２に圧入して嵌合させることにより、ゴム状弾性体８０がシャーシ３７に固着される。この嵌合溝８３を挟んで軸方向の一側が第１の円筒状防振部８４を構成し、軸方向の他側が第２の円筒状防振部８５を構成している。更に、ゴム状弾性体８０の内周面の軸方向の略中間部には、半径方向内側に突出するフランジ状防振部８６が設けられている。
【００４７】
第１及び第２の円筒状防振部８４，８５の軸方向の先端部には、その先端側が外周面及び内周面の両方において共に先細となるように肉厚を徐々に薄くした両面テーパ形状の初期防振部８４ａ，８５ａが設けられている。また、フランジ状防振部８６の内周縁には、その内周縁が軸方向の両面において先細となるように肉厚を徐々に薄くした両面テーパ形状の初期防振部８６ａが設けられている。これらの初期防振部８４ａ，８５ａ，８６ａは、その肉厚を徐々に薄くすることにより、これらの部分で減衰できる周波数を低くするために設けたものである。このようなゴム状弾性体８０の材質としては、例えば、シリコンゴム、アクリルゴム、ブタジエンゴム、合成天然ゴムその他各種のゴム若しくはプラスチックを用いることができる。
【００４８】
支持軸部８２は、外装ケース側部材の一具体例を示す仕切りパネルに設けられた支持軸８７と、この支持軸８７に固定される支持蓋８８と、支持蓋８８を支持軸８７に固定する固定ねじ８９とから構成されている。支持軸８７は、仕切りパネルに固定された円板状の固定板８７ａと、この固定板８７ａの一面の中央部に立設された軸部８７ｂとからなり、軸部８７ｂの先端面には固定ねじ８９が螺合されるねじ孔８７ｃが設けられている。支持蓋８８は、ボス部８８ａが一面の中央部に設けられた円板状の部材からなる。ボス部８８ａの中央部には、上下面間を貫通する挿通孔８８ｂが設けられている。支持蓋８８の挿通孔８８ｂには固定ねじ８９の軸部が貫通され、その先端部を支持軸８７のねじ孔８７ｃに螺合させて締め付けることにより、支持蓋８８が支持軸８７に一体的に締付固定される
【００４９】
支持軸８７の軸部８７ｂには、互いの大径側端部９１ｂ，９２ｂを対向させた状態で一対の円錐コイルばね９１，９２が嵌合されている。第１の円錐コイルばね９１の小径側端部９１ａは支持蓋８８のボス部８８ａに着座され、その大径側端部９１ｂはゴム状弾性体８０の第１の円筒状防振部８４の穴内に挿入されてフランジ状防振部８６の一面に着座されている。また、第２の円錐コイルばね９２の小径側端部９２ａは支持軸８７の軸部８７ｂの根元部分に着座され、その大径側端部９２ｂはゴム状弾性体８０の第２の円筒状防振部８５の穴内に挿入されてフランジ状防振部８６の他面に着座されている。
【００５０】
一対の円錐コイルばね９１，９２は、線材を円錐形の螺旋状に巻くことによって形成されている。一対の円錐コイルばね９１，９２のばね定数は、その巻軸方向及びこれと直交する方向において略同じ程度に設定するとよい。また、支持蓋８８と第１の円筒状防振部８４との間の隙間Ｔ１と、支持軸８７の固定板８７ａと第２の円筒状防振部８５との間の隙間Ｔ２と、支持軸８７の軸部８７ｂとフランジ状防振部８６との間の隙間Ｔ３の大きさは、ディスクドライブ装置３の自重により一対の円錐コイルばね９１，９２が弾性変形してその距離がつまったときにも、各防振部８４，８５，８６が支持蓋８８又は支持軸８７にぶつかることのない距離に設定する。３箇所の隙間Ｔ１，Ｔ２，Ｔ３は、略同一の大きさに設定するとよい。
【００５１】
なお、円錐コイルばね９１，９２の材質としては、例えば、ばね鋼等の金属材料が好適であるが、ばね材として使用できるエンジニアリングプラスチックを用いることもできる。また、円錐形ばねとしては、この実施例で示した円錐コイルばねに限定されるものではなく、例えば、円錐竹の子ばね等を用いることもできる。
【００５２】
このような構成を有する防振装置５３を介してシャーシ３７が外装ケース５に弾性的に支持されている。シャーシ３７の上面部３７ａには、光学ピックアップ装置５０の上面を露出させるための開口部５４が設けられている。開口部５４は、上面部３７ａの略中央から側面部３７ｂの円弧部に至る部分に開口されており、その円弧側面部を除く他の３辺側に適当な幅の縁取りが設けられている。即ち、開口部５４は、円弧状をなす円弧辺を除く他の３辺に縁取り、円弧辺側のみは側面辺を残すように形成されている。この上面部３７ａの縁取りのうち、中央縁取りの内側には、テーブル回転手段３５が搭載されるモータベース５５が取り付けられ、これを挟むようにその両側に連続された側部縁取りの内側にはガイド部材の一具体例を示す一対のガイド軸５６，５７が１本ずつ取り付けられている。
【００５３】
テーブル回転手段３５は、シャーシ３７の下面に固定ねじ５８ａでねじ止めされたモータベース５５と、このモータベース５５上に搭載されて固定されたスピンドルモータ６０と、このスピンドルモータ６０の回転部に設けられたターンテーブル３６とから構成されている。モータベース５５は導電性を有する金属製の板体からなり、その一面にスピンドルモータ６０がカシメ等の固着手段によって固定されている。なお、スピンドルモータ６０は、シャーシ３７に直接固定する構成としても良いことは勿論である。
【００５４】
スピンドルモータ６０は、モータベース５５に固定される固定部と、その固定部に回転自在に支持された回転部とからなり、その回転部の上面にターンテーブル３６が一体的に設けられている。ターンテーブル３６は、ＤＶＤ−Ｒ２のセンタ穴が嵌合されるディスク嵌合部３６ａと、ＤＶＤ−Ｒ２のセンタ穴の周縁部が載置されるディスク載置部３６ｂとを有している。ターンテーブル３６のディスク嵌合部３６ａには、ＤＶＤ−Ｒ２のセンタ穴の周縁部に係合してＤＶＤ−Ｒ２を保持する複数個（本実施例では３個）のロック爪６１が周方向に等間隔に配置されている。各ロック爪６１は、図示しないスプリングによって半径方向外側へ付勢されており、このスプリングのバネ力によるロック爪６１の保持力でＤＶＤ−Ｒ２がターンテーブル３６の所定位置に位置決めされて固定される。
【００５５】
このテーブル回転手段３５の近傍に光学ピックアップ装置５０が配設されている。光学ピックアップ装置５０は、ＤＶＤ−Ｒ２の情報記録面に対向される対物レンズ６２を有する二軸アクチュエータ６３と、この二軸アクチュエータ６３が搭載されたスライド部材６４等を備えて構成されている。スライド部材６４は、ガイド部材の一具体例を示す主ガイド軸５６と副ガイド軸５７との２本のガイド軸５６，５７にガイドされてテーブル回転手段３５に対して進退移動（接近及び離反）可能に構成されている。
【００５６】
２本のガイド軸５６，５７は、それぞれ金属製の真っ直ぐな丸棒によって形成されている。一方の主ガイド軸５６は、スライド部材６４の長手方向の一端に設けた一対の第１の軸受部６５ａ，６５ｂの軸受穴を摺動自在に貫通している。一対の第１の軸受部６５ａ，６５ｂの軸受穴は、主ガイド軸５６の軸方向に適宜な間隔をあけて同一軸心線上に設定されており、一対の第１の軸受部６５ａ，６５ｂで１本の主ガイド軸５６を支持することによってスライド部材６４が移動する際の直進性を確保するようにしている。
【００５７】
他方の副ガイド軸５７は、スライド部材６４の長手方向の他端に設けた第２の軸受部６６の軸受溝に摺動自在に貫通されている。第２の軸受部６６の軸受溝は、スライド部材６４の長手方向の側方へ開口するように設けられている。そして、主ガイド軸５６と副ガイド軸５７とは、テーブル回転手段３５を挟むように所定の間隔をあけて対向されると共に、互いに略平行をなすように配置されている。これら主ガイド軸５６及び副ガイド軸５７は、それぞれ軸方向の両端部において、支持手段６７によってシャーシ３７に固定するように支持されている。
【００５８】
支持手段６７は、各ガイド軸５６，５７の端部を支持するためにシャーシ３７の４箇所に設けた軸受部６８と、シャーシ３７に固定される押え板６９とから構成されている。各軸受部６８は、ガイド軸５６の端部を収容することができる凹部を有しており、その凹部内にガイド軸５６の各端部が収容されている。そして、各ガイド軸５６，５７の各端部を押え板６９で押え付けることによって、各ガイド軸５６，５７がシャーシ３７に、支持手段６８によって両端支持されている。なお、２本のガイド軸５６，５７は、いずれか１本のみを丸棒として形成し、他の１本はシャーシ３７と一体に形成するようにしてもよい。
【００５９】
前記２本のガイド軸５６，５７と、スライド部材６４に取り付けられた送りナット７０と、この送りナット７０の歯部が摺動可能に係合されるねじ溝を有する送りねじ軸７３と、この送りねじ軸７３を回転駆動する原動機の一具体例を示す送りモータ７５等によってピックアップ移動手段５１が構成されている。送りモータ７５としては、例えば、ステップモータが好適であるが、その他の直流電動機や交流電動機、或いは油・空圧シリンダ、揺動モータ等のアクチュエータを用いることもできる。
【００６０】
送りねじ軸７３は、送りモータ７５の回転軸として構成されており、その外周面に螺旋状に延在されたねじ溝が設けられている。送りねじ軸７３は、２本のガイド軸５６，５７、特に、主ガイド軸５６の軸心線と略平行をなすように配置されており、軸受ホルダ７６によって回転自在に両端支持されている。軸受ホルダ７６は、送りねじ軸７３を支持する支持片が両端に設けられたプレート状の部材からなり、固定ねじ５８ｂによってシャーシ３７にねじ止めされて固定されている。この軸受ホルダ７６に送りモータ７５が固定されている。そして、送りねじ軸７３のねじ溝に、送りナット７０の歯部が噛合されている。
【００６１】
かくして、送りモータ７５を駆動して送りねじ軸７３を回転駆動することにより、その送りねじ軸７３の回転力が送りナット７０を介してスライド部材６４に伝達される。その結果、送りねじ軸７３の回転方向に応じて、光学ピックアップ装置５０がテーブル回転手段３５に近づく方向と離れる方向とに選択的に移動される。
【００６２】
スライド部材６４は、テーブル回転手段３５のスピンドルモータ６０の略半面を囲うように形成された円弧状の凹部を有する略半円形の部材からなり、その凸側の外縁は、ターンテーブル３６に装着されるＤＶＤ−Ｒ２の外周縁の曲率半径と略同程度の曲率半径による円弧の内側に収まるように略円弧状に形成されている。このスライド部材６４の長手方向中途部の幅は、他の部分の幅よりも小さく（細く）形成されている。このスライド部材６４の細幅部分の略中央部に、光学ピックアップ装置５０の光学系の一部をなす対物レンズ６２が配置されている。
【００６３】
上述したテーブル回転手段３５とシャーシ３７と光学ピックアップ装置５０とピックアップ移動手段５１とその他の関連機構、装置等によってディスクドライブ装置３が構成されている。このような構成を有するディスクドライブ装置３が、外装ケース５内の所定位置に防振装置５３を介して取り付けられている。その結果、図３に示すように、テーブル回転手段３５のターンテーブル３６がディスク収納部６の略中央部に配置されている。このディスク収納部６がディスク蓋７によって開閉され、そのディスク蓋７を閉じ位置に保持するロックと、そのロックを解除するロック解除とが蓋開閉機構によって行われる。
【００６４】
図示しないが、外装ケース５内は２つの室に仕切られており、第１の室にはディスクドライブ装置３が収納され、第２の室にはレンズ装置４と制御回路部等が収納されている。そのため、仕切りパネルの一面側にはディスクドライブ装置３を支持するための複数個の前記支持軸部８２が設けられ、他面側にはレンズ装置４やプリント基板等を支持するための複数個の支持片が設けられている。なお、制御回路部は、例えば、マイクロコンピュータや記憶装置（ＲＡＭ，ＲＯＭ）、コンデンサや抵抗その他の電子部品と、これらの電子部品が搭載されるプリント基板等によって構成されている。
【００６５】
このディスク式撮像装置１によれば、被写体を撮影することにより、その被写体の画像に対応したデジタル信号を発生させて、液晶ディスプレイ等の表示装置にその画像を表示したり、内蔵された記憶装置や外付けされる記憶装置等にその画像に対応した情報信号を記録したりすることができる。
【００６６】
この場合、テーブル回転手段３５のスピンドルモータ６０が回転駆動されると、スピンドルモータ６０の回転バランスの変動等に起因して振動が発生し、その振動がシャーシ３７に伝達される。これにより、シャーシ３７が振動すると、防振装置５３の一対の円錐コイルばね９１，９２のばね定数を、ある一定の周波数のゲインが低くなるように設定することにより、その振動を一対の円錐コイルばね９１，９２で減衰させて外装ケース５側に伝達することができる。このとき、スピンドルモータ６０から発生する振動は、変位距離（振幅）が比較的小さいものであるため、前記隙間Ｔ１，Ｔ２，Ｔ３内の変動によって十分に減衰し、その振動を吸収することができる。
【００６７】
図１２は、防振装置５３のゴム状弾性体８０と円錐コイルばね９１，９２のばね特性を現したグラフである。図１２において、横軸には周波数（Ｈｚ）を取り、縦軸にはゲイン（ｄＢ）を取っている。図１２に示す符号ＣＳは円錐コイルばね９１，９２のばね特性を現したものであり、また、符号ＧＳはゴム状弾性体８０のばね特性を現したものである。
【００６８】
図１２から明らかなように、円錐コイルばね９１，９２のばね特性ＣＳは、略２０Ｈｚ付近にゲイン（ｄＢ）のピークがあり、そのピークを過ぎると略比例的に減少するようになっている。また、ゴム状弾性体８０のばね特性ＧＳは、略８０Ｈｚ付近にゲイン（ｄＢ）のピークがあり、そのピークを過ぎると略比例的に減少するようになっている。この防振装置５３で減衰させたい周波数は５０Ｈｚ付近のものである。この５０Ｈｚ付近では、ゲインＡＢ（例えば、１０ｄＢ程度）の振動が生じているため、これを防振装置５３で減衰することによって防振性能を高めることができる。
【００６９】
一方、外部から外装ケース５に大きな衝撃力が加えられ、その衝撃力が防振装置５３に入力されると、ディスクドライブ装置３の変位量が大きくなるため、前記円錐コイルばね９１，９２の変位量を超えて、前記隙間Ｔ１，Ｔ２，Ｔ３のいずれかにおいて、ゴム状弾性体８０が支持軸部８２に接触することになる。この場合、ゴム状弾性体８０の、まず、初期防振部８４ａ，８５ａ，８６ａのいずれかが、支持蓋８８、固定板８７ａ又は軸部８７ｂに接触する。
【００７０】
このとき、いずれの初期防振部８４ａ，８５ａ，８６ａにおいても、先端部がテーパ状に形成されていて、他の部分に比べて減衰できる周波数が低くなっており、接触し始めのばね力が弱くなっている。そのため、衝撃力が急激に作用することがないから、接触開始時に大きな衝撃力がディスクドライブ装置３側に伝達されるのを防止することができる。その後、ゴム状弾性体８０に伝達される外力が段々大きくなると、その外力は、円筒状防振部８４，８５又はフランジ状防振部８６の全体で受け止められることになる。そのため、比較的大きな外力であっても、それらの円筒状防振部８４，８５又はフランジ状防振部８６によってしっかりと確実に受け止められるから、ディスクドライブ装置３側に伝達される衝撃力を抑制することができる。
【００７１】
このように、本発明の防振装置５３によれば、接触し始めは弱く当たって軟らかく受け止め、その後、徐々に受け止める応力を増してしっかりと外力を受け止めることができる。そのため、ディスクドライブ装置３に大きな衝撃力を与えることなく、衝撃を抑制して伝達し、若しくは吸収して伝達しないようにすることができる。
【００７２】
図１０及び図１１は、本発明の防振装置に係るゴム状弾性体の他の実施例を示すものである。図１０に示すゴム状弾性体９４は、円筒状防振部８４，８５及びフランジ状防振部８６における初期防振部８４ｂ，８５ｂ，８６ｂの形状を、一面側にのみテーパ面を設けることによって先細に形成したものである。この実施例では、第１及び第２の円筒状防振部８４，８５では外周面にテーパ面を設け、また、フランジ状防振部８６では下面にテーパ面を設けたが、これらとは逆に、第１及び第２の円筒状防振部８４，８５の内周面にテーパ面を設け、フランジ状防振部８６の上面にテーパ面を設ける構成としてもよい。
【００７３】
図１１に示すゴム状弾性体９５は、円筒状防振部８４，８５及びフランジ状防振部８６における初期防振部８４ｃ，８５ｃ，８６ｃの形状を、一面側にのみ円弧状の曲面を設けることによって先細に形成したものである。この実施例では、第１及び第２の円筒状防振部８４，８５では内周面に円弧状曲面を設け、また、フランジ状防振部８６では上面に円弧状曲面を設けたが、これらとは逆に、第１及び第２の円筒状防振部８４，８５の外周面に円弧状曲面を設け、フランジ状防振部８６の下面に円弧状曲面を設ける構成としてもよい。
【００７４】
以上説明したように、本発明によれば、ゴム状弾性体９５の円筒状防振部８４，８５又はフランジ状防振部８６に初期防振部８４ａ〜８４ｃ，８５ａ〜８５ｃ，８６ａ〜８６ｃを設ける構成としたため、従来のゴム状弾性体からなる防振装置を備えたディスク記録再生装置に比べて、ディスクドライブ装置３の姿勢変化による位置変動を半分以下に減少させることができ、ディスク記録再生装置全体の小型化を図ることができる。しかも、ゴム状弾性体８０，９４，９５と一対の一対の円錐コイルばね９１，９２を一方向から組み立てることができるため、組立性を向上させることができると共に、部分組み立てが可能であるため、効率的な組立作業を行うことができる。
【産業上の利用可能性】
【００７５】
本発明は、前述しかつ図面に示した実施の形態に限定されるものではなく、その要旨を逸脱しない範囲内で種々の変形実施が可能である。例えば、前記実施例では、ＤＶＤ−Ｒ（光ディスク）を記録媒体として用いたディスク式撮像装置に適用した例について説明したが、光磁気ディスクや磁気ディスク等の他の記録方式のディスク状記録媒体を用いた撮像装置に適用できるものである。また、前記実施例では、情報信号の再生ばかりでなく記録も可能なディスク記録再生装置について説明したが、再生のみが可能なディスク再生装置は勿論のこと、記録のみが可能なディスク記録装置にも適用可能である。更に、本発明に係る電子機器としては、前述した撮像装置に限定されるものではなく、この種のディスクドライブ装置が用いられるパーソナルコンピュータ、電子辞書、ＤＶＤプレーヤ、カーナビゲーションその他各種の電子機器に適用できるものである。
【図面の簡単な説明】
【００７６】
【図１】本発明のディスク記録及び／又は再生装置の一実施例を示すディスク式撮像装置を正面側から見た斜視図である。
【図２】本発明のディスク記録及び／又は再生装置の一実施例を示すディスク式撮像装置を背面側から見た斜視図である。
【図３】図１に示すディスク式撮像装置のディスク蓋を開いてディスクドライブ装置を露出させた状態の斜視図である。
【図４】本発明のディスク記録及び／又は再生装置に用いたディスクドライブ装置の一実施例を示す正面図である。
【図５】本発明のディスク記録及び／又は再生装置に用いたディスクドライブ装置の一実施例を示す背面図である。
【図６】本発明のディスク記録及び／又は再生装置に用いたディスクドライブ装置の一実施例を示す背面側から見た斜視図である。
【図７】本発明のディスク記録及び／又は再生装置に係る防振装置の一実施例を示す斜視図である。
【図８】図７に示す防止装置を分解した斜視図である。
【図９】図７に示す防止装置を断面した説明図である。
【図１０】本発明のディスク記録及び／又は再生装置に係る防振装置のゴム状弾性体の第２の実施例を示す断面図である。
【図１１】本発明のディスク記録及び／又は再生装置に係る防振装置のゴム状弾性体の第３の実施例を示す断面図である。
【図１２】ゴム状弾性体のばね特性と円錐コイルばねのばね特性を説明するためのグラフである。
【図１３】従来の防振装置を示す断面図である。
【符号の説明】
【００７７】
１…ディスク式撮像装置（ディスク記録及び／又は再生装置）、  ２…ＤＶＤ−Ｒ（ディスク状記録媒体）、  ３…ディスクドライブ装置、  ５…外装ケース、  ３５…テーブル回転手段、  ３６…ターンテーブル、  ３７…シャーシ、  ３７ｃ…インシュレータ取付部、  ５０…光学ピックアップ装置（ピックアップ手段）、  ５１…ピックアップ移動手段、  ５２…連通孔、  ５３…防振装置、  ６０…スピンドルモータ、  ８０，９４，９５…ゴム状弾性体、  ８２…支持軸部、  ８４，８５…円筒状防振部、  ８４ａ，８４ｂ，８４ｃ，８５ａ，８５ｂ，８５ｃ，８６ａ，８６ｂ，８６ｃ…初期防振部、  ８６…フランジ状防振部、  ８７…支持軸、  ８８…支持蓋、  ９１，９２…円錐コイルばね（円錐形ばね）
【図１】
2006185501.tif 000003
【図２】
2006185501.tif 000004
【図３】
2006185501.tif 000005
【図４】
2006185501.tif 000006
【図５】
2006185501.tif 000007
【図６】
2006185501.tif 000008
【図７】
2006185501.tif 000009
【図８】
2006185501.tif 000010
【図９】
2006185501.tif 000011
【図１０】
2006185501.tif 000012
【図１１】
2006185501.tif 000013
【図１２】
2006185501.tif 000014
【図１３】
2006185501.tif 000015